(57)【要約】      （修正有）【課題】数字選択式宝くじの申込カードの数字選択乃至塗りつぶしまでの作業を効率的に支援可能とする宝くじ購入支援装置を提供する。【解決手段】円板状の的板部１２と、円板状の中央部から円周方向に等間隔で放射状に延びるＮ本の直線が表示され、しかも隣り合う直線で挟まれる各領域に、１乃至Ｎの数字のうちいずれかの数字が重複せずに表示される表示部１３と、的板部１２の裏面側に配置され、中央部を回転中心として的板部１２を回転自在に支持するとともに、片手で保持可能な手持支持部１４と、先端１６ａが表示部１３に付着可能な投げ矢１６と、を備える。一方で手持支持部を保持し、他方の手で的板部を回転させ、その回転中に投げ矢を投げて先端を表示部に付着させる。【選択図】図１
0003192774.tif 000002
【実用新案登録請求の範囲】
【請求項１】
数字選択式宝くじの購入を支援する数字選択式宝くじ購入支援装置であって、
円板状の的板部と、
前記的板部の表面に設けられる表示部であって、前記円板状の中央部から円周方向に等間隔で放射状に延びるＮ本の直線が表示され、しかも隣り合う前記直線で挟まれる各領域に、１乃至Ｎの数字のうちいずれかの数字が重複せずに表示される表示部と、
前記的板部の裏面側に配置され、前記中央部を回転中心として前記的板部を回転自在に支持するとともに、片手で保持可能な手持支持部と、
先端が前記表示部に付着可能な投げ矢と、を備え、
一方の手で前記手持支持部を保持しつつ、他方の手で前記的板部を回転させ、その回転中に前記他方の手で前記投げ矢を投げて前記先端を前記表示部に付着させることを特徴とする数字選択式宝くじ購入支援装置。
【請求項２】
前記手持支持部は、前記的板部より一回り大きい板状の基板であり、前記的板部と対向配置され、前記基板の少なくとも外周部が前記的板部の外側に配置される基板を含むことを特徴とする請求項１記載の数字選択式宝くじ購入支援装置。
【請求項３】
前記的板部は、前記的板部を手で回転させる際に指を掛ける指掛部であり、前記的板部の周辺から外方に突出状又は／及び膨出状の指掛部を備えることを特徴とする請求項１又は２記載の数字選択式宝くじ購入支援装置。
【請求項４】
前記手持支持部は、前記片手で把持可能な把持部を備えることを特徴とする請求項１〜３のいずれかに記載の数字選択式宝くじ購入支援装置。
【請求項５】
前記把持部は、前記基板から突出する突出部からなることを特徴とする請求項４記載の数字選択式宝くじ購入支援装置。
【請求項６】
前記先端は、前記表示部に刺さる針部材からなることを特徴とする請求項１〜５のいずれかに記載の数字選択式宝くじ購入支援装置。
【請求項７】
前記的板部は、磁性材料を含み、前記先端は、前記磁性材料に吸着する磁性体を含むことを特徴とする請求項１〜５のいずれかに記載の数字選択式宝くじ購入支援装置。
【考案の詳細な説明】
【技術分野】
【０００１】
本考案は、数字選択式宝くじの購入をする際に、数字を選択して申込カードに記入する作業を支援する、数字選択式宝くじ購入装置に関する。
【背景技術】
【０００２】従来、数字選択式宝くじには、例えば、１〜３７の３７個の数字の内から異なる７個の数字を選んで購入する（公序良俗違反につき、不掲載）、１〜４３の４３個の数字の中から異なる６個の数字を選んで購入する（公序良俗違反につき、不掲載）、１〜３１の数字の内から異なる５個を選択する（公序良俗違反につき、不掲載）等がある。いずれのものも、くじ購入希望者が申込カードに表記された数字を、鉛筆等筆記具を用いて塗りつぶし、その塗りつぶし部を発券機が読み取り、投票券を発行している。【０００３】
この数字選択に関しては、多くの数字選択式宝くじの愛好者が試行思案し迷いながら行っているのが現状である。特に、複数枚の申込カードを購入する際は、途中からいずれの数字を塗りつぶすかについて頭が混乱する等の、精神的に負担を感じるという問題がある。
【０００４】
そこで、数字選択作業の際の迷いや精神的な負担を軽減するために、様々な提案がされている（例えば特許文献１）。
【先行技術文献】
【特許文献】
【０００５】
【特許文献１】実登第３０１７０００号公報
【考案の概要】
【考案が解決しようとする課題】
【０００６】
特許文献１によれば、モータ等によって１つの垂直面内で回転し、かつ表面に番号数字が領域を分けて表示された数字表示板と、該数字表示板よりも低位置であって、該数字表示板の正面に対向配置され、かつ該数字表示板に向って斜め上方に矢を発射する矢発射台とを備える抽選機であり、モータによって回転する数字表示板に、矢発射台から矢を発射して、その矢が突き刺さった所定領域内の数字により番号を選択可能とするものが開示されている。
【０００７】
しかしながら、特許文献１の抽選機によれば、数字表示板を回転させるモータや、矢を発射させるためのスプリング、ソレノイド、操作レバー、ガイドレール等を備える発射台が必要になる等、一般の家庭等で購入するには高価なものになっている。また、一般の家庭で購入できる程度に安価に提供でき、しかも数字選択式宝くじの購入申込カードの数字選択の際の迷いを解消するものはこれまで見当たらない。
【０００８】
そこで、本考案は、上記従来の問題に鑑みてなされたものであり、その目的は、数字選択式宝くじの購入申込カードの数字選択の迷いを解消し、申込カードの数字選択乃至塗りつぶし作業を効率的に支援可能で、しかも安価なコストで製造可能な数字選択式宝くじ購入支援装置提供することにある。
【課題を解決するための手段】
【０００９】
本考案は、数字選択式宝くじの購入を支援する数字選択式宝くじ購入支援装置であって、円板状の的板部と、前記的板部の表面に設けられる表示部であって、前記円板状の中央部から円周方向に等間隔で放射状に延びるＮ本の直線が表示され、しかも隣り合う前記直線で挟まれる各領域に、１乃至Ｎの数字のうちいずれかの数字が重複せずに表示される表示部と、前記的板部の裏面側に配置され、前記中央部を回転中心として前記的板部を回転自在に支持するとともに、片手で保持可能な手持支持部と、先端が前記表示部に付着可能な投げ矢と、を備え、一方の手で前記手持支持部を保持しつつ、他方の手で前記的板部を回転させ、その回転中に前記他方の手で前記投げ矢を投げて前記先端を前記表示部に付着させる、数字選択式宝くじ購入支援装置である。
【００１０】
その際、前記手持支持部は、前記的板部より一回り大きい板状の基板であり、前記的板部と対向配置され、前記基板の少なくとも外周部が前記的板部の外側に配置される基板を含んでも良い。
【００１１】
また、前記的板部は、前記的板部を手で回転させる際に指を掛ける指掛部であり、前記的板部の周辺から外方に突出状又は／及び膨出状の指掛部を備えても良い。
【００１２】
また、前記手持支持部は、前記片手で把持可能な把持部を備えても良い。
【００１３】
その際、前記把持部は、前記基板から突出する突出部からなっていても良い。
【００１４】
また、前記先端は、前記表示部に刺さる針部材からなっていても良いし、前記的板部は、磁性材料を含み、前記先端は、前記磁性材料に吸着する磁性体を含んでいても良い。
【考案の効果】
【００１５】
本考案は、数字選択式宝くじの購入を支援する数字選択式宝くじ購入支援装置であって、円板状の的板部と、前記的板部の表面に設けられる表示部であって、前記円板状の中央部から円周方向に等間隔で放射状に延びるＮ本の直線が表示され、しかも隣り合う前記直線で挟まれる各領域に、１乃至Ｎの数字のうちいずれかの数字が重複せずに表示される表示部と、前記的板部の裏面側に配置され、前記中央部を回転中心として前記的板部を回転自在に支持するとともに、片手で保持可能な手持支持部と、先端が前記表示部に付着可能な投げ矢と、を備え、一方の手で前記手持支持部を保持しつつ、他方の手で前記的板部を回転させ、その回転中に前記他方の手で前記投げ矢を投げて前記先端を前記表示部に付着させる構成であるから、くじ購入希望者は、例えば机の上に数字選択式宝くじの申込カードを置き、椅子に座った状態で一方の手で手持支持部を保持し、他方の手で的板部を回転させ、その回転中に他方の手で投げ矢を的板部に向かって投げ、投げ矢の先端が付着した領域に対応する数字と同じ数字を申込カード上で塗りつぶし、次に投げ矢を的板部から外し、的板部を回転させて投げ矢を投げるという作業を繰り返すことで、数字選択の悩みを解消でき、しかも一か所で数字選択から塗りつぶしまでの作業を行うことができることから、数字選択式宝くじの申込カードの数字選択乃至数字の塗りつぶし作業を効率的に支援可能な数字選択式宝くじ購入支援装置を提供できる。また、的板部の回転や投げ矢の発射が手動で可能となることから、的板部を回転させるためのモータや、投げ矢を発射させるための発射台等が不要となるので、極めて安価に製造可能となり一般の家庭にも手頃な値段で提供できる。
【００１６】
また、前記手持支持部は、前記的板部より一回り大きい板状の基板であり、前記的板部と対向配置され、前記基板の少なくとも外周部が前記的板部の外側に配置される基板を含む構成であるから、例えば投げ矢を投げた際に的板部を外した場合でも、基板の外周部で投げ矢を受け止めて的板部の後方に投げ矢が飛んでゆくことを防止できることから、投げ矢を拾いに行く手間も省ける等、前記作業の効率化を更に図ることができる。
【００１７】
また、前記的板部は、前記的板部を手で回転させる際に指を掛ける指掛部であり、前記的板部の周辺から外方に突出状又は／及び膨出状の指掛部を備える構成であるから、例えば指を指掛部に添え、手首のスナップを効かせながら指を下方に降ることで的板部を手で容易に確実に回転させることができるので、的板部の回転操作性に優れた数字選択式宝くじ購入支援装置を提供できる。
【００１８】
また、前記手持支持部は、前記片手で把持可能な把持部を備える構成であるから、手持支持部を片手で保持し易く、腕の疲れ等を軽減可能な数字選択式宝くじ購入支援装置を提供できる。
【００１９】
また、前記把持部は、前記基板から突出する突出部からなる構成であるから、手持支持部を簡単な形状で形成できるので、製造が容易となり製造コストの低減を更に図ることができる。
【００２０】
また、前記先端は、前記表示部に刺さる針部材からなる構成であるから、投げ矢の先端を確実に表示部に付着させることができる。
【００２１】
また、前記的板部は、磁性材料を含み、前記先端は、前記磁性材料に吸着する磁性体を含む構成であるから、例えば投げ矢の先端を円柱状に形成できるので、投げ矢を投げた際に人等に先端が当たっても安全性が高い数字選択式宝くじ購入支援装置を提供できる。
【図面の簡単な説明】
【００２２】
【図１】本考案の実施形態に係る第１実施例の数字選択式宝くじ購入支援装置を説明する斜視図である。
【図２】本考案の実施形態に係る第１実施例の数字選択式宝くじ購入支援装置の平面図である。
【図３】図１のＡ−Ａ線断面図である。
【図４】本考案の実施形態に係る第１実施例の数字選択式宝くじ購入支援装置の使用例を説明する斜視図である。
【図５】本考案の実施形態に係る第１実施例の数字選択式宝くじ購入支援装置の使用例を説明する斜視図である。
【図６】本考案の実施形態に係る第１実施例の数字選択式宝くじ購入支援装置の使用例を説明する斜視図である。
【図７】本考案の実施形態に係る第２実施例の数字選択式宝くじ購入支援装置の平面図である。
【図８】本考案の実施形態に係る第２実施例の数字選択式宝くじ購入支援装置の背面図である。
【考案を実施するための形態】
【００２３】
本考案の実施形態に係る数字選択式宝くじ購入支援装置は、数字選択式宝くじの購入を支援する数字選択式宝くじ購入支援装置であって、略中央を回転中心とする円盤状の的板部と、前記的板部の表面に設けられる表示部であって、前記表面が前記回転中心から放射状に走る線でＮ等分され、しかも前記Ｎ等分された各領域に、１乃至Ｎの数字のうちいずれかの数字が重複せずに表示された表示部と、前記的板部の裏面側に配置され、前記的板部を回転自在に支持する支持部であって、片手で保持可能な手持支持部と、先端が前記表示部に付着可能な投げ矢と、を備え、一方の手で前記手持支持部を保持し、他方の手で前記的板部を回転させ、その回転中に前記他方の手で前記投げ矢を投げて前記先端を前記表示部に付着させるものである。
【００２４】
本考案の実施形態に係る数字選択式宝くじ購入支援装置の第１実施例について、図１〜図６を用いて説明する。
本実施例の数字選択式宝くじ購入支援装置１０は、図１に示すように、的板部１２と、表示部１３と、手持支持部１４と、投げ矢１６等を備える。
【００２５】
本実施例の的板部１２は、図２及び図３に示すように、裏板１８と、表板２０とを備える。
表板２０は、図２及び図３に示すように、例えば直径が２０〜３０ｃｍ程度の円板部材で形成される。表板２０の材質は、例えばＥＶＡ樹脂の様に、後述する投げ矢１６の先端１６ａを突き刺すことが可能な合成樹脂製で形成される。
次に、裏板１８は、図２及び図３に示すように、例えば表板２０よりも一回り大きい直径を有する硬質紙製で円板状の部材で形成される。この裏板１８は、図２に示すように、その周辺から外方に向かって、略２ｃｍ〜４ｃｍの幅で略Ｃ字状に膨出する膨出部からなる指掛部１９を備える。この指掛部１９は、後述する様に、的板部１２を手で回転させる際に指を掛ける指掛手段である。なお、指掛部は、本実施例の膨出状に限るものではなく、指を掛けることができる形状であれば、例えば裏板１８の周辺から凸状に突出等の突出状に形成されても良い。
【００２６】
そして、的板部１２は、図２及び図３に示すように、裏板１８と表板２０とを同心円状に重ね合わせた状態で貼り合わせ、円板状に形成される。また的板部１２は、図３に示すように、円板状の中央部２５に貫通孔２５ａを備えており、後述する軸部２６を貫通孔２５ａに遊嵌させ、軸部２６を回転中心として回転する。
なお、的板部は、本実施例のように、２枚の板部材を貼り合わせて形成されたものに限らず、例えば投げ矢１６を投げて先端が刺さった場合に、先端が的板部を貫通しない程度の厚さの一枚の円板状部材で形成しても良い。また、的板部１２は、例えば発泡スチロール、段ボール、コルク材、木材或いはこれらの組合せ等の軽い材質で形成されても良い。
【００２７】
次に、表示部１３は、図１及び図２に示すように、的板部１２の表面２１に表示される直線２３や数字３２を含む。具体的には、円板状の的板部１２の中央部２５から円周方向に等間隔で放射状に延びるＮ本の直線２３が表示され、しかも隣り合う直線２３で挟まれる各領域３１に、１乃至Ｎの数字のうちいずれかの数字３２が重複せずに表示される。
ここで数字１乃至Ｎは、数字選択式宝くじの購入の際に選択するベースとなる数字を示す。図４及び図６に示す様に、申込カード３７には、１〜Ｎの数字を一つの数字群とした複数の数字群が表示されており、マークシート方式で塗りつぶすことで数字を選択可能な構成となっている。なお、本実施例ではＮ＝３１となっている。
【００２８】
次に、手持支持部１４は、図２及び図３に示すように、基板２２と、軸部２６と、把持部２４とを備える。
基板２２は、図２に示すように、角が面取りされた略正方形状で、的板部１２より一回り大きなサイズの板材で形成される。さらに、基板２２は、図３に示すように、その中央３４に貫通孔３６を有する。そして、基板２２は、図２及び図３に示すように、的板部１２の裏側で、的板部１２と対向配置される。その際、的板部１２と基板２２とは、図２及び図３に示すように、貫通孔２５ａと貫通孔３６とが重なる態様で配置される。そのため、基板２２の外周部２７は、図２に示すように、平面視で的板部１２の外側に配置される。
【００２９】
次に、把持部２４は、図２及び図３に示すように、片手で把持可能な略短冊状板部材で形成される。そして、把持部２４は、図２に示すように、基板２２の一隅から突出状に配置され、基板２２と一体で形成される。このように、把持部２４は、基板２２から突出する突出部からなる。本実施例では、把持部２４と基板２２とは一体で形成されるが、把持部は本実施例に限るものではなく、基板２２と別体の丸棒部材で把持部を形成し、基板２２から突出状に設けても良い。
【００３０】
次に、軸部２６は、図２及び図３に示すように、基板２２の略中央で基板２２から立設するボルト２８で形成される。ボルト２８は、図３に示すように、貫通孔２５ａの直径より大きい直径の頭部２８ａ、を有する雄ネジ部材で形成され、雄ネジ部材に螺合する第１ナット３０ａ及び第２ナット３０ｂによって基板２２に固定される。より詳しくは、第１ナット３０ａは、図３に示すように、貫通孔３６の直径より大きい直径を有するとともに、ネジ穴の一端側が閉鎖された止めナット部材で形成される。一方、第２ナット３０ｂは、図３に示すように、ネジ穴の両端が開放したナット部材で形成される。そして、第１ナット３０ａは、図３に示すように、基板２２の裏面側に配置され、貫通孔３６に挿入されるボルト２８の先端と螺合する。一方、第２ナット３０ｂは、図３に示すように、基板２２と的板部１２との間に配置され、ボルト２８の中間に螺合する。このように、第１ナット３０ａと第２ナット３０ｂが、基板２２を挟みつつボルト２８と螺合することで、ボルト２８は基板２２の板面に垂直方向に立設するとともに基板２２に固定される構成となっている。
【００３１】
そして、図２及び図３に示すように、軸部２６に、的板部１２の貫通孔２５ａが遊嵌され、より詳しくは、頭部２８ａと第２ナット３０ｂとの間に遊嵌され、的板部１２は軸部２６を中心に自在に回転するので、的板部１２を手動で回転できる。このように、手持支持部１４は、的板部１２の裏面側に配置され、中央部２５を回転中心として的板部１２を回転自在に支持するとともに、片手で保持可能な構成となっているのである。
【００３２】
次に、投げ矢１６は、図１及び図５に示すように、その先端１６ａが、表示部１３に刺さる針部材からなっている。すなわち、投げ矢１６は、先端１６ａが、表示部１３に刺さることで付着可能な構成となっている。
【００３３】
以上説明した様に、本実施例の数字選択式宝くじ購入支援装置１０によれば、的板部１２の回転や投げ矢１６の発射が手動で可能となることから、例えば的板部１２を回転させるためのモータや、投げ矢を発射させるための発射台等が不要となるので、極めて安価に製造可能となり一般の家庭にも手頃な値段で提供できる。
【００３４】
次に、本実施例の数字選択式宝くじ購入支援装置１０を使用する際は、図４に示すように、例えば机３５の上に数字選択式宝くじの申込カード３７を置いて、一方の手で手持支持部１４を保持する。その際、図４に示すように、一方の手で把持部２４を把持することで手持支持部１４を保持しやすい。
次に、図４に示すように、他方の手で的板部１２を回転させる。その際、図４に示すように、手の指を指掛部１９に掛けつつ的板部１２を回転させることができるので、的板部１２の回転操作がし易くなる。
【００３５】
次に、図５に示す様に、的板部１２の回転中に他方の手で投げ矢１６を表示部１３に向かって投げる。このように、本実施例の数字選択式宝くじ購入支援装置１０によれば、手動で稼働させることができるとともに、すべての操作を一人で行うことができる。
次に、図６に示すように、投げ矢１６が刺さった領域に表示された数字と同じ数字を申込カード上で塗りつぶす。このような作業を繰り返すことで、数字選択に悩むことなく、しかも一か所で移動することなく数字選択から塗りつぶしまでの作業を効率的に行うことができる。
【００３６】
次に、本考案の実施形態に係る数字選択式宝くじ購入支援装置の第２実施例について、図７及び図８を用いて説明する。第１実施例の数字選択式宝くじ購入支援装置１０と、第２実施例の数字選択式宝くじ購入支援装置５０との相違点は、手持支持部の形状にあり、以下、第１実施例と同様な部材には同じ符号を付し、その説明を省略する。
本実施例の手持支持部５２は、図７及び図８に示すように、支持板５４と、この支持板５４と一体形成される把持部５６とを備える。
【００３７】
支持板５４は、図８に示すように、例えば裏板１８の直径の略４分の１の直径を有する円板部材で形成される。そして、支持板５４は、図７及び図８に示すように、的板部１２の裏側で、的板部１２と対向配置される。このように配置される支持板５４は、上述したと同様にして軸部２６を立設させ、軸部２６で的板部１２を回転自在に支持する。
【００３８】
次に、把持部５６は、図７及び図８に示す様に、裏板１８の直径と略同じ長さで、片手で把持できる幅を有する長板部材で形成される。そして、把持部５６は、図８に示すように、その長手方向の一端側を支持板５４に接続する。従って、把持部５６の他端側は、図７に示す様に、正面視で的板部１２の外側に位置する。本実施例の手持支持部５２によれば、数字選択式宝くじ購入支援装置の軽量化、更なる低コスト化を図ることができる。
【００３９】
また、投げ矢の先端は、第１実施例や第２実施例の針状部材に限るものではない。例えば、的板部の表面を強磁性体材料で覆い、投げ矢の先端が、前記強磁性体材料に吸着する磁石等の磁性体を含む構成となっていてもよい。このような構成とすることで、投げ矢の先端を例えば円柱状に形成できるので、安全性が高まるからである。
【００４０】
これまで説明してきた様に、本実施形態の数字選択式宝くじ購入支援装置１０，５０によれば、数字選択式宝くじの購入申込カードの数字選択の迷いを解消し、申込カードの数字選択乃至塗りつぶし作業を効率的に支援可能で、しかも安価なコストで製造可能な数字選択式宝くじ購入支援装置提供できる。
【００４１】
以上、本考案の実施形態のうちいくつかを図面に基づいて詳細に説明したが、これらはあくまでも例示であり、当業者の知識に基づいて種々の変形、改良を施した他の形態で本考案を実施することが可能である。
【符号の説明】
【００４２】
１０，５０  数字選択式宝くじ購入支援装置
１２  的板部
１３  表示部
１４，５２  手持支持部
１６  投げ矢
１６ａ  先端
１９  指掛部
２２  基板
２５  中央部
２４  把持部（突出部）
２７  外周部
５６  把持部
【図１】
0003192774.tif 000003
【図２】
0003192774.tif 000004
【図３】
0003192774.tif 000005
【図４】
0003192774.tif 000006
【図５】
0003192774.tif 000007
【図６】
0003192774.tif 000008
【図７】
0003192774.tif 000009
【図８】
0003192774.tif 000010
【手続補正書】
【提出日】平成26年7月8日(2014.7.8)
【手続補正１】
【補正対象書類名】明細書
【補正対象項目名】０００２
【補正方法】変更
【補正の内容】
【０００２】
従来、数字選択式宝くじには、例えば、１〜３７の３７個の数字の内から異なる７個の数字を選んで購入するくじ、１〜４３の４３個の数字の中から異なる６個の数字を選んで購入するくじ、１〜３１の数字の内から異なる５個を選択するくじ等がある。いずれのものも、くじ購入希望者が申込カードに表記された数字を、鉛筆等筆記具を用いて塗りつぶし、その塗りつぶし部を発券機が読み取り、投票券を発行している。